(57)【要約】【課題】無線通信システムにおける送信電力制御方法及び移動局に関し、送信電力値を過剰に増減させることがない送信電力制御を行う。【解決手段】移動局は、送信電力の増大又は低減を要求する基地局からの送信電力制御情報に従って送信電力を制御する。移動局は、送信電力最大値及び送信電力最小値からそれぞれ所定のオフセット値分離れた最大値オフセット又は最小値オフセットを、移動局の送信電力が超えたことをオフセット値比較部１で検出し、最大値オフセット又は最小値オフセットを移動局の送信電力が超えたとき、基地局と移動局との間の送信電力制御の処理遅延に相当する所定期間をフレーム数カウンタ５で監視し、不定期間状態管理部６は、その間、基地局からの送信電力制御情報をマスク部７によりマスクし、一定の送信電力で送信するよう制御する。【選択図】図１
2012060483.tif 000002
【特許請求の範囲】
【請求項１】
送信電力の増大又は低減を要求する基地局からの送信電力制御情報に従って、移動局の送信電力を制御する無線通信システムにおける送信電力制御方法において、
前記移動局の送信電力最大値及び送信電力最小値からそれぞれ所定のオフセット値分離れた最大値オフセット又は最小値オフセットを、移動局の送信電力が超えたことを検出する送信電力監視ステップと、
前記最大値オフセット又は最小値オフセットを移動局の送信電力が超えたとき、前記基地局と移動局との間の送信電力制御の処理遅延に相当する所定期間、前記基地局からの送信電力制御情報に従う送信電力制御を停止させ、一定の送信電力で送信するよう制御する送信電力制御ステップと、
を含むことを特徴とする送信電力制御方法。
【請求項２】
送信電力の増大又は低減を要求する基地局からの送信電力制御情報に従って、移動局の送信電力を制御する無線通信システムにおける移動局において、
前記移動局の送信電力最大値及び送信電力最小値からそれぞれ所定のオフセット値分離れた最大値オフセット又は最小値オフセットを、移動局の送信電力が超えたことを検出する送信電力監視手段と、
前記最大値オフセット又は最小値オフセットを移動局の送信電力が超えたとき、前記基地局と移動局との間の送信電力制御の処理遅延に相当する所定期間、前記基地局からの送信電力制御情報に従う送信電力制御を停止させ、一定の送信電力で送信するよう制御する送信電力制御手段と、
を備えたことを特徴とする移動局。
【請求項３】
前記送信電力監視手段は、前記最大値オフセット及び最小値オフセットとして複数の値が設定され、各最大値オフセット及び最小値オフセットに対して、前記移動局の送信電力が超えた否かを検出し、
前記送信電力制御手段は、前記移動局の送信電力が前記各最大値オフセット又は最小値オフセットを上回る又は下回る度に、前記所定期間、前記基地局からの送信電力制御情報に従う送信電力制御を停止させ、一定の送信電力で送信するよう制御することを特徴とする請求項２に記載の移動局。
【請求項４】
前記送信電力制御手段は、移動局の送信電力が前記最大値オフセットを上回った状態で、前記送信電力の低減を要求する送信電力制御情報を連続して受信したとき、又は、移動局の送信電力が前記最小値オフセットを下回った状態で、前記送信電力の増大を要求する送信電力制御情報を連続して受信したとき、該送信電力制御情報に従う送信電力制御を行わせることを特徴とする請求項２又は３に記載の移動局。
【発明の詳細な説明】
【技術分野】
【０００１】
本発明は、無線通信システムにおける送信電力制御方法及び移動局に関する。
【背景技術】
【０００２】
無線通信システムにおける移動局の送信電力制御は、基地局からの送信電力制御情報によって、送信電力を増大させ、又は低減させることによって行われる。図５は無線通信システムにおける送信電力制御の処理機能部及び処理手順を示す。図５に示すように、基地局２０は、受信レベル検出部２２及び送信電力制御（ＴＣＰ）値挿入部２１を備える。また、移動局１０は、送信電力制御（ＴＣＰ）値抽出部１１及び送信電力制御部１２を備える。
【０００３】
送信電力制御の処理手順は、移動局１０で送信された送信データを基地局２０で受信し、その受信レベルを受信レベル検出部２２により検出する。基地局２０は、検出された受信レベルの情報を基に、受信レベルが所定の基準値より低いか高いかを判断し、該判断結果を基に、移動局１０の送信電力の増減を制御する送信電力制御情報（以下、送信電力制御（ＴＰＣ）値という）を、送信電力制御（ＴＣＰ）値挿入部２１に通知する（処理Ｓ１）。
【０００４】
送信電力制御（ＴＣＰ）値挿入部２１は、下り制御チャネルを使用して該送信電力制御（ＴＰＣ）値を移動局１０へ送信する。移動局１０は、基地局２０からの送信電力制御（ＴＰＣ）値を、送信電力制御（ＴＣＰ）値抽出部１１で抽出する。移動局１０は、該送信電力制御（ＴＰＣ）値を送信電力制御部１２に通知し、送信電力制御部１２は、該送信電力制御（ＴＰＣ）値に従って送信電力を増減させる。
【０００５】
基地局１０から通知する送信電力制御（ＴＰＣ）値に従って移動局１０で増減制御が行われた送信電力は、基地局２０の受信レベル検出部２２で検出され（処理Ｓ２）、同様の送信電力制御の処理が繰り返して実施される。送信電力制御の処理は、送信フレーム毎に行われる。
【０００６】
図６に従来の移動局における送信電力制御部の構成例を示す。従来の移動局の送信電力制御部は、ＴＣＰ値−ｄＢ変換部１と第１の加算部２と第２の加算部３とを備える。ＴＣＰ値−ｄＢ変換部１は、送信電力の増大（ＵＰ）又は低減（ＤＯＷＮ）を命令する送信電力制御（ＴＰＣ）値を、増大又は低減させる送信電力の増減幅（ｄＢ値）に変換する。
【０００７】
第１の加算部２は、ＴＣＰ値−ｄＢ変換部１により変換された電力増減幅（ｄＢ値）を、過去の電力増減幅の値に加算して電力増減値として積算する。第２の加算部３は、該積算した電力増減値を初期電力値に加算して送信電力値として出力する。該初期電力値は、移動局の電源立上げ時に使用される基準の送信電力値である。また、送信電力制御（ＴＰＣ）値により増減する電力増減幅（ｄＢ値）は、適宜設定される固定値である。
【０００８】
図５に示したように、基地局２０で送信電力制御（ＴＰＣ）値を決定し、該送信電力制御（ＴＰＣ）値を送信電力制御（ＴＣＰ）値挿入部２１に通知する処理Ｓ１から、該送信電力制御（ＴＰＣ）値が移動局１０に送信され、該送信電力制御（ＴＰＣ）値に応じて制御された送信電力の送信データが基地局２０で受信され検出される処理Ｓ２までに、数フレーム分の処理遅延が存在する。
【０００９】
図７に従来の送信電力を増大させる送信電力制御（ＴＰＣ）値に従う送信電力の推移例を示す。基地局で挿入した送信電力制御（ＴＰＣ）値により、移動局で送信電力制御が行われるまで、数フレームの処理遅延が存在する。そのため、図７に示すように、基地局で十分な受信電力値（必要電力レベルＬ１）と判断しても、そのタイミングｔ１から移動局１０で送信電力の制御に反映されるタイミングｔ２までに、処理遅延により送信電力増大を指示する送信電力制御（ＴＰＣ）値が送出され続ける。なお、図７では図５に示した処理Ｓ１から処理Ｓ２までの処理遅延が６フレームの例を示している。
【００１０】
その結果、図７に示すように過剰な送信電力値となり、移動局は過剰な送信電力で送信データを送信する。そのため、移動局では消費電力が増大し、また、基地局では他の移動局との干渉が増大する等の問題を生ずることとなる。また、送信電力を低減させる送信電力制御（ＴＰＣ）値に対しては、電力制御の処理遅延により、送信電力の過剰な低下を招き、当該移動局からの送信データが他の移動局から過大の干渉を受けることとなる。
【００１１】
上述の問題に対する対策の一例として、例えば図８の（ａ）に示すように、送信電力の最大値及び最小値に対して、所定のオフセットを設定し、該オフセットの値を送信電力値が超えた場合に、送信電力制御（ＴＰＣ）値に対する送信電力値の変動幅を小さく制御する手法が考えられる。なお、図８の（ａ）では最大値オフセットの例のみを示している。
【００１２】
また、他の対策例として、図８（ｂ）に示すように、送信電力制御（ＴＰＣ）値の連続性を判定し、増大（ＵＰ）又は低減（ＤＯＷＮ）の送信電力制御（ＴＰＣ）値が連続して所定回数以上受信された場合、送信電力制御（ＴＰＣ）値に対する送信電力値の変動幅を小さく制御する手法が考えられる。なお、図８の（ｂ）では、増大（ＵＰ）の送信電力制御（ＴＰＣ）値が連続して受信された場合の例のみを示している。
【００１３】
閉ループ送信電力制御を行う無線電話において、全出力電力を制限し、飽和を防止し、利得制御システムの応答性を維持する出力電力制御方法等は、例えば下記の特許文献１等により知られている。また、基地局の送信電力を上げる指示の送信電力制御情報が移動局から連続して送信されたた場合、送信電力を一定に保つよう制御して送信信号を送信する無線基地局等は、例えば下記の特許文献２等によって知られている。
【先行技術文献】
【特許文献】
【００１４】
【特許文献１】特開平９−６４８１４号公報
【特許文献２】特開２００８−１７００９号公報
【発明の概要】
【発明が解決しようとする課題】
【００１５】
図８の（ａ）及び（ｂ）に示した送信電力制御方法の例は、図７に示した制御例に比べて、過剰な電力制御値を小さくすることができるが、図８の（ａ）及び（ｂ）の何れの制御例でも、基地局から送信した送信電力制御（ＴＰＣ）値が移動局の送信電力制御に反映されるまでは、送信電力値が過剰な方向に変化してしまう。
【００１６】
その結果、送信電力を増大させ過ぎた場合、移動局で過剰な消費電力が増加し、他の移動局に対する干渉を増大させる悪影響を生じ、また、送信電力を低減させ過ぎた場合、他の移動局からの干渉による通信品質劣化の悪影響が生じることとなる。本発明は、無線通信システムにおける移動局の送信電力制御において、送信電力値を過剰に増減させることがない送信電力制御を行うことを目的とする。
【課題を解決するための手段】
【００１７】
上記課題を解決する一つの形態としての送信電力制御方法は、送信電力の増大又は低減を要求する基地局からの送信電力制御情報に従って、移動局の送信電力を制御する無線通信システムにおける送信電力制御方法において、前記移動局の送信電力最大値及び送信電力最小値からそれぞれ所定のオフセット値分離れた最大値オフセット又は最小値オフセットを、移動局の送信電力が超えたことを検出する送信電力監視ステップと、前記最大値オフセット又は最小値オフセットを移動局の送信電力が超えたとき、前記基地局と移動局との間の送信電力制御の処理遅延に相当する所定期間、前記基地局からの送信電力制御情報に従う送信電力制御を停止させ、一定の送信電力で送信するよう制御する送信電力制御ステップと、を含むものである。
【００１８】
また、他の形態としての移動局は、送信電力の増大又は低減を要求する基地局からの送信電力制御情報に従って、移動局の送信電力を制御する無線通信システムにおける移動局において、前記移動局の送信電力最大値及び送信電力最小値からそれぞれ所定のオフセット値分離れた最大値オフセット又は最小値オフセットを、移動局の送信電力が超えたことを検出する送信電力監視手段と、前記最大値オフセット又は最小値オフセットを移動局の送信電力が超えたとき、前記基地局と移動局との間の送信電力制御の処理遅延に相当する所定期間、前記基地局からの送信電力制御情報に従う送信電力制御を停止させ、一定の送信電力で送信するよう制御する送信電力制御手段と、を備えたものである。
【発明の効果】
【００１９】
基地局の送信電力制御情報による移動局の送信電力制御の処理遅延の期間に、基地局から連続して送信電力の増大又は低減命令が到来した場合に、送信電力値を過剰に増減させることがない送信電力制御を行うことができ、他の移動局に干渉による影響を与えず、また、他の移動局からの干渉を受けないよう送信電力制御を行うことができる。また、移動局での過剰な送信電力を防ぐことにより移動局での消費電力の削減を図ることができる。
【図面の簡単な説明】
【００２０】
【図１】移動局における送信電力制御部の構成例を示す図である。
【図２】送信電力制御領域の例を示す図である。
【図３】最大値エリア付近における送信電力制御の動作例を示す図である。
【図４】送信電力制御の動作フローを示す図である。
【図５】無線通信システムにおける送信電力制御の処理機能部及び処理手順を示す図である。
【図６】従来の移動局における送信電力制御部の構成例を示す図である。
【図７】従来の送信電力を増大させる送信電力制御値に従う送信電力の推移例を示す図である。
【図８】送信電力値変動幅の制御の例を示す図である。
【発明を実施するための形態】
【００２１】
図１に移動局における送信電力制御部の構成例を示す。この送信電力制御部は、図６に示したＴＣＰ値−ｄＢ変換部１、第１の加算部２及び第２の加算部３に、オフセット値比較部４、フレーム数カウンタ５、不定期間状態管理部６、及びマスク部７を備える。
【００２２】
送信電力制御（ＴＰＣ）−ｄＢ変換部１は、送信電力制御（ＴＰＣ）値を、移動機１０の送信電力を増大（ＵＰ）又は低減（ＤＯＷＮ）させる電力増減幅（ｄＢ値）に変換する。第１の加算部２は、ＴＣＰ値−ｄＢ変換部１により変換された電力増減幅（ｄＢ値）を、過去の電力増減幅の値に加算して電力増減値として積算する。第２の加算部３は、該積算した電力増減値を初期電力値に加算した値を送信電力値として出力する。
【００２３】
オフセット値比較部４は、予め設定された最大値オフセット及び最小値オフセットと送信中の送信電力値とを比較し、その比較結果を示す信号ａ，ｂをフレーム数カウンタ５に通知する。該オフセット値比較部４に設定する最大値オフセット及び最小値オフセットとして、それぞれｎ個（ｎは１以上の整数）の値を設定する構成とすることができる。
【００２４】
また、該オフセット値比較部４に、最大値オフセット及び最小値オフセットとの比較回数ｎ（ｎは１以上の整数）を設定する構成とすることができる。ここで、比較結果を示す信号ａは、最大値オフセットを送信中の送信電力値が上回ったことを示し、信号ｂは、最小値オフセットを送信中の送信電力値が下回ったことを示すものとする。
【００２５】
フレーム数カウンタ５は、送信電力制御の処理遅延量に相当するフレーム数をカウントし、その間、送信電力制御（ＴＰＣ）値の使用／不使用が不定であることを示す不定区間信号ｃを出力する。フレーム数カウンタに予め設定する送信電力制御の処理遅延量は、図５に示したように、送信電力制御（ＴＰＣ）値を送信電力制御（ＴＣＰ）値挿入部２１へ出力する処理Ｓ１から、該送信電力制御（ＴＰＣ）値を反映した送信データを受信レベル検出部２２で受取る処理Ｓ２までの処理遅延量を設定する。
【００２６】
フレーム数カウンタ５は、送信中の送信電力値が最大値オフセット又は最小値オフセットを超えたことを示す信号ａ，ｂが入力されると、所定フレーム数のカウントを開始し、カウント期間中、不定区間信号ｃを不定期間状態管理部６に出力する。該不定区間信号ｃには、最大値オフセットを上回った状態か、最小値オフセットを下回った状態かを示す情報を付加して不定期間状態管理部６に出力する。
【００２７】
不定期間状態管理部６は、上記不定区間信号ｃが有効な期間に、送信電力制御（ＴＰＣ）の状態を管理する。該不定期間状態管理部６は、ＴＣＰ値−ｄＢ変換部１から、送信電力の増大（ＵＰ）又は低減（ＤＯＷＮ）の増減幅（ｄＢ値）を示す情報を入力する。該不定期間状態管理部６は、送信電力値が最大値オフセットを上回った状態で、送信電力の増大（ＵＰ）を指令する情報が入力される場合、該送信電力の増大（ＵＰ）を指令する情報を使用しないよう、マスク部７に対して該情報の出力を停止させる制御信号ｄを送出する。
【００２８】
また、該不定期間状態管理部６は、送信電力値が最大値オフセットを上回った状態で、送信電力の低減（ＤＯＷＮ）を指令する情報が連続して入力される場合、該送信電力の低減（ＤＯＷＮ）を指令する情報を使用するよう、マスク部７に対して該情報を第１の加算部２へ出力させる制御信号ｄを送出する。
【００２９】
また、該不定期間状態管理部６は、送信電力値が最小値オフセットを下回った状態で、送信電力の低減（ＤＯＷＮ）を指令する情報が入力される場合、該送信電力の低減（ＤＯＷＮ）を指令する情報を使用しないよう、マスク部７に対して該情報の出力を停止させる制御信号ｄを送出する。
【００３０】
また、該不定期間状態管理部６は、送信電力値が最大値オフセットを下回った状態で、送信電力の増大（ＵＰ）を指令する情報が連続して入力される場合、該送信電力の増大（ＵＰ）を指令する情報を使用するよう、マスク部７に対して該情報を第１の加算部２へ出力させる制御信号ｄを送出する。
【００３１】
マスク部７は、不定期間状態管理部６から送出される制御信号ｄに従って、ＴＣＰ値−ｄＢ変換部１から出力される送信電力を増大（ＵＰ）又は低減（ＤＯＷＮ）の電力増減幅（ｄＢ値）の情報を、第１の加算部２へ出力するのを制止し又は通過させる。
【００３２】
図２は送信電力制御領域の例を示す。図２に示すように、送信電力最大値２−１と送信電力最小値２−４との間に、最大値オフセット２−２及び最小値オフセット２−３を設定する。送信電力最大値２−１と最大値オフセット２−２とに挟まれた領域を最大値エリア、最小値オフセット２−３と送信電力最小値２−４とに挟まれた領域を最小値エリアとする。また、最大値エリア及び最小値エリア以外の領域を中間領域とする。図２では、最大値オフセット２−２及び最小値オフセット２−３をそれぞれ１つずつ設定した例を示しているが、最大値オフセット及び最小値オフセットは、複数個設定する構成とすることができる。
【００３３】
図３は、最大値エリア付近における送信電力制御の動作例を示す。この動作例では、最大値オフセットとの比較回数を２回とし、送信電力制御の処理遅延の設定を６フレームとした動作例を示している。図３に示すように。送信電力制御（ＴＰＣ）値が１フレーム周期で入力され、第３フレーム目に送信電力値が第１の最大値オフセット＃１値を超えたとする。
【００３４】
送信電力値が第１の最大値オフセット＃１値を超えると、オフセット値比較部４から、第１の最大値オフセット＃１値を超えたことを示す信号ａがフレーム数カウンタ部５へ出力される。フレーム数カウンタ部５は、上記の信号ａが入力されると、フレームのカウントを開始し、送信電力制御の処理遅延に相当する６フレームの区間分、不定期間信号ｃを有効にする。
【００３５】
不定期間状態管理部６は、不定期間信号ｃが有効の期間中、送信電力制御（ＴＰＣ）値の状態に応じて送信電力制御を管理する。不定期間状態管理部６は、送信電力を増大（ＵＰ）させる電力増減幅（ｄＢ値）を示す情報が入力されているとき、マスク部７に対して該情報の出力をマスクするよう制御し、送信電力制御（ＴＰＣ）値を不使用の状態にする。それにより、図３に示すように、第４〜第９フレーム（処理遅延に相当する６フレーム区間）では、一定の送信電力値で推移することになる。
【００３６】
但し、第８フレームでは、送信電力を低減（ＤＯＷＮ）させる指令が入力されているが、該指令は連続して入力されていないので、基地局側では送信電力を低減するよう要求していないと判断し、不定期間信号ｃが有効の期間中、一定の送信電力値で推移させる。
【００３７】
不定期間信号ｃの有効期間が経過した後の第１０フレーム目からは、送信電力を増減させる電力増減幅（ｄＢ値）を示す情報を使用する状態となり、送信電力制御が開始する。この第１０フレーム目の時点で、送信電力の増大（ＵＰ）を指令する情報が入力されるということは、処理遅延の時間の経過後もなお依然として基地局側で送信電力の増大を要求していることになるので、従来と同様の送信電力制御（ＴＰＣ）制御に移行する。
【００３８】
その後、第１１フレーム目に第２の最大値オフセット＃２値を超えるため、再び、第１の最大値オフセット＃１値を超えたときと同様に動作する。即ち、送信電力を増大（ＵＰ）させる電力増減幅（ｄＢ値）を示す情報が入力されるので、マスク部７に対して該情報の出力をマスクするよう制御する。その結果、第１２〜第１６フレームで、一定の送信電力値で推移する。
【００３９】
しかし、第１６フレームと第１７フレームとで連続して送信電力の低減（ＤＯＷＮ）を指令する送信電力制御（ＴＰＣ）値に変動したので、基地局側で送信電力を低減するよう要求していると判断し、不定期間状態管理部６は、マスク部７の制御信号ｄを無効にしてマスクを解除させ、第１７フレームから送信電力制御（ＴＰＣ）値を使用して電力制御を行う状態にする。
【００４０】
ここで、図３では最大値エリアにおける動作例について説明したが、最小値エリアにおいても同様に動作し、最小値オフセットを送信電力値が下回った状態で、不定期間信号ｃが有効の期間中、送信電力を低減（ＤＯＷＮ）させる指令情報が受信された場合、該指令情報を使用しないようマスクする。一方、最小値オフセットを送信電力値が下回った状態で、不定期間信号ｃが有効の期間中、送信電力を増大（ＵＰ）させる指令情報が連続して受信された場合、該指令情報を使用して送信電力制御を行うよう、該指令情報のマスクを解除させ通過させる。
【００４１】
図１において、オフセット値比較部４は、最大値オフセット又は最小値オフセットを移動局の送信電力が超えたことを検出する送信電力監視手段を構成する。また、フレーム数カウンタ５、不定期間状態管理部６及びマスク部７は、送信電力制御の処理遅延に相当する所定期間、基地局からの送信電力制御情報に従う送信電力制御を停止させ、一定の送信電力で送信するよう制御する送信電力制御手段を構成する。
【００４２】
図４に開示の送信電力制御の動作フローを示す。移動局では、オフセット値比較部４により、送信電力値が最大値エリア又は最小値エリアに属しているか否かを判定する（４−１）。送信電力値が最大値エリア又は最小値エリアに属している場合、フレーム数カウンタ５を起動する（４−２）。
【００４３】
フレーム数カウンタ５のカウント値が設定値に達したか否かを判定し（４−３）、設定値に達していないとき、送信電力値が最大値エリアの場合、低減（ＤＯＷＮ）命令が連続して受信されたか否かを判定し（４−４，４−５）、低減（ＤＯＷＮ）命令が連続して受信されていない場合、マスク部７をマスク状態にする（４−６）。低減（ＤＯＷＮ）命令が連続して受信された場合、マスク部７のマスク状態を解除する（４−７）。
【００４４】
また、送信電力値が最小値エリアの場合、増大（ＵＰ）命令が連続して受信されたか否かを判定し（４−８）、増大（ＵＰ）命令が連続して受信されていない場合、マスク部７をマスク状態にする（４−９）。増大（ＵＰ）命令が連続して受信された場合、マスク部７のマスク状態を解除する（４−１０）。
【００４５】
マスク（４−６，４−９）又はマスク解除（４−７，４−１０）の処理の後、フレーム数カウンタ５のカウント値が設定値に達したか否かの判定処理（４−３）に戻り、同様の処理を繰り返す。フレーム数カウンタのカウント値が設定値に達した場合、マスク状態を解除し（４−１１）、送信電力値が最大値エリア又は最小値エリアに属しているか否かの判定処理（４−１）に戻り、同様の処理を繰り返す。
【００４６】
送信電力値が最大値エリア又は最小値エリアのとき、送信電力制御の処理遅延の区間分、マスク部７をマスク状態とすることにより、基地局からの送信電力制御情報に従う送信電力制御を停止させ、一定の送信電力で送信するよう制御する。これにより、送信電力制御の処理遅延による過剰な送信電力の増大又は低減を防ぐことができる。
【００４７】
また、最大値オフセット及び最小値オフセットを複数設定し、送信電力値と最大値オフセット及び最小値オフセットとの比較を複数回行うことにより、きめ細かい精度の高い送信電力制御を行うことが可能となる。また、基地局からの送信電力制御情報をマスクした状態のとき、逆方向への送信電力制御情報（最大値エリア側では低減（ＤＯＷＮ）命令、最小値エリア側では増大（ＵＰ）命令）を連続して受信した場合に、マスク状態を解除することにより、基地局からの送信電力制御情報に敏速に対応した送信電力制御行うことが可能となる。
【符号の説明】
【００４８】
１  ＴＣＰ値−ｄＢ変換部
２  第１の加算部
３  第２の加算部
４  オフセット値比較部
５  フレーム数カウンタ
６  不定期間状態管理部
７  マスク部
【図１】
2012060483.tif 000003
【図２】
2012060483.tif 000004
【図３】
2012060483.tif 000005
【図４】
2012060483.tif 000006
【図５】
2012060483.tif 000007
【図６】
2012060483.tif 000008
【図７】
2012060483.tif 000009
【図８】
2012060483.tif 000010